(57)【特許請求の範囲】
【請求項１】
一方のコネクタ部及び他方のコネクタ部を有するコネクタであって、
前記一方のコネクタ部及び前記他方のコネクタ部は、少なくとも一本の雌雄同型のコンタクトと、前記コンタクトが収容される雌雄同型のハウジングとをそれぞれ有し、
前記コンタクトは、長手方向に対して直交する方向に突出した接触部が設けられ、
前記ハウジングの接続方向に対して直交する側の面は、上段面と、前記上段面に対して接続方向側であって、前記上段面より低い位置に設けられた下段面と、前記上段面と前記下段面の間の段差を繋ぐ壁面部とを有し、
前記下段面からは、前記コンタクトの前記接触部が突出されており、
前記ハウジングの接続方向に対して両側の幅方向側には、接続された前記一方のコネクタ部と前記他方のコネクタ部が固定されるロック機構を有し、
前記ロック機構は、
前記ハウジングの前記壁面部の接続方向に対して両側の幅方向側に、接続方向に向かって突出し、前記下段面との間に隙間を有するようにそれぞれ形成された嵌合突起と、
前記ハウジングの前記接続方向側の面であって、接続方向に対して両側の幅方向側には、接続方向とは反対方向であって、前記ハウジングの内部に向かうようにそれぞれ形成された嵌合孔と、を有し、
前記一方のコネクタ部と前記他方のコネクタ部が接続された場合、前記一方のコネクタ部及び前記他方のコネクタ部のそれぞれの前記ハウジングの前記下段面同士が近接し、それぞれの前記下段面から突出された前記コンタクトの前記接触部同士が接触され、且つ、前記一方のコネクタ部の前記嵌合突起が前記他方のコネクタ部の前記嵌合孔に嵌合され、且つ、前記他方のコネクタ部の前記嵌合突起が前記一方のコネクタ部の前記嵌合孔に嵌合されることにより、前記ロック機構が固定されることを特徴とするコネクタ。
【請求項２】
前記係止突起は、それぞれの前記嵌合突起から前記下段面に向かうように突出して形成され、
前記係止部は、前記下段面の接続方向に対して両側の幅方向側であって、前記嵌合孔を覆うように形成され、
前記一方のコネクタ部と前記他方のコネクタ部が接続された場合、前記嵌合突起が前記嵌合孔にそれぞれ嵌合されると共に、前記一方のコネクタ部の前記係止突起が前記他方のコネクタ部の前記係止部に係止され、前記他方のコネクタ部の前記係止突起が前記一方のコネクタ部の前記係止部に係止されることを特徴とする請求項１に記載のコネクタ。
【請求項３】
前記係止部は、前記下段面の接続方向に対して両側の幅方向側であって、接続方向に沿って前記嵌合孔と繋がるように形成された溝を有し、接続方向側の前記溝を囲うように接続方向側が閉じられた枠体が前記嵌合孔を覆うように形成され、前記枠体は、前記接続方向側とは反対側を軸として弾性変形されることを特徴とする請求項２に記載のコネクタ。
【請求項４】
前記一方のコネクタ部と前記他方のコネクタ部が接続された場合、前記一方のコネクタ部の前記ハウジングの前記壁面部と前記他方のコネクタ部の前記ハウジングの前記接続方向側の面が当接し、前記他方のコネクタ部の前記ハウジングの前記壁面部と前記一方のコネクタ部の前記接続方向側の面とが当接することを特徴とする請求項１〜３のいずれかに記載のコネクタ。
【請求項５】
相手方ハウジング及び少なくとも１本の相手方コンタクトを有する相手方コネクタ部と接続され、前記相手方ハウジング及び前記相手方コンタクトと雌雄同型のハウジング及び少なくとも１本のコンタクトを有するコネクタ部であって、
前記コンタクトは、長手方向に対して直交する方向に突出した接触部が設けられ、
前記ハウジングの接続方向に対して直交する側の面は、上段面と、前記上段面に対して接続方向側であって、前記上段面より低い位置に設けられた下段面と、前記上段面と前記下段面の間の段差を繋ぐ壁面部とを有し、
前記下段面からは、前記コンタクトの前記接触部が突出されており、
前記ハウジングの接続方向に対して両側の幅方向側には、接続された前記相手方コネクタ部と固定されるロック機構を有し、
前記ロック機構は、
前記ハウジングの前記壁面部の接続方向に対して両側の幅方向側に、接続方向に向かって突出し、前記下段面との間に隙間を有するようにそれぞれ形成された嵌合突起と、
前記ハウジングの前記接続方向側の面であって、接続方向に対して両側の幅方向側には、接続方向とは反対方向であって、前記ハウジングの内部に向かうようにそれぞれ形成された嵌合孔と、を有し、
前記相手方コネクタ部と接続された場合、前記ハウジングの前記下段面が前記相手方ハウジングの対応する部分と近接し、前記下段面から突出された前記コンタクトの前記接触部が前記相手方コンタクトの対応する部分と接触され、且つ、前記嵌合突起が前記相手方コネクタ部の嵌合孔に嵌合され、且つ、前記相手方コネクタ部の嵌合突起が前記嵌合孔に嵌合されることにより、前記ロック機構が前記相手方コネクタと固定されることを特徴とするコネクタ部。 
【発明の詳細な説明】
【技術分野】
【０００１】
本発明は、部品点数を減らし、且つ、確実な接続の維持ができるコネクタ及びコネクタ部に関する。
【背景技術】
【０００２】
従来の電線同士を接続するコネクタとして、例えば、下記特許文献１に電線用コネクタの考案が開示されている。下記特許文献１に開示された電線用コネクタの発明は、オス型端子を内蔵したハウジングを有するオス型コネクタと、メス型端子を内蔵したハウジングを有するメス型コネクタとからなり、コネクタ同士を連結することにより端子同士を接続する電線用コネクタにおいて、上記メス型コネクタには、メス型端子から伸びてハウジング内壁面に接触しメス型端子を固定する導電性の固定部材を設けると共に、上記オス型コネクタには、メス型コネクタとの連結時にメス型端子の固定部材に接触する補助端子を設けたことを特徴とするとしている。
【先行技術文献】
【特許文献】
【０００３】
【特許文献１】実開平０３−００４４６７号公報
【発明の概要】
【発明が解決しようとする課題】
【０００４】
上記特許文献１に開示された電線用コネクタでは、オス型コネクタとメス型コネクタがそれぞれ異なる形状で形成されており、このオス型コネクタを構成するハウジング及びオス型端子とメス型コネクタを構成するハウジング及びメス型コンタクトもそれぞれ異なる形状で形成されている。そのため、オス型コネクタ及びメス型コネクタの各ハウジングを形成するためには、それぞれ異なる金型を必要とし、また、オス型端子及びメス型端子の製造も異なる工程が必要となり、部品点数が多くなると共に、製造コストが高くなるという課題がある。
【０００５】
本発明の目的は、一方のコネクタ部と他方のコネクタ部を構成するそれぞれのハウジング及びコンタクトを同じ構造とすることで、部品点数を減らすことができ、且つ、接続された際に確実に固定を維持することができる構成を有するコネクタを提供することにある。
【０００６】
また、本発明の他の目的は、相手方コネクタ部を構成する相手方ハウジング及び相手方コンタクトと雌雄同型のハウジング及びコンタクトを有することで、部品点数を減らすことができ、且つ、接続された際に確実に固定を維持することができる構成を有するコネクタ部を提供することにある。
【課題を解決するための手段】
【０００７】
上記課題を解決するために、本発明の第１の態様のコネクタは、一方のコネクタ部及び他方のコネクタ部を有するコネクタであって、
前記一方のコネクタ部及び前記他方のコネクタ部は、少なくとも一本の雌雄同型のコンタクトと、前記コンタクトが収容される雌雄同型のハウジングとをそれぞれ有し、
前記コンタクトは、長手方向に対して直交する方向に突出した接触部が設けられ、
前記ハウジングの接続方向に対して直交する側の面は、上段面と、前記上段面に対して接続方向側であって、前記上段面より低い位置に設けられた下段面と、前記上段面と前記下段面の間の段差を繋ぐ壁面部とを有し、
前記下段面からは、前記コンタクトの前記接触部が突出されており、
前記ハウジングの接続方向に対して両側の幅方向側には、接続された前記一方のコネクタ部と前記他方のコネクタ部が固定されるロック機構を有し、
前記ロック機構は、
前記ハウジングの前記壁面部の接続方向に対して両側の幅方向側に、接続方向に向かって突出し、前記下段面との間に隙間を有するようにそれぞれ形成された嵌合突起と、
前記ハウジングの前記接続方向側の面であって、接続方向に対して両側の幅方向側には、接続方向とは反対方向であって、前記ハウジングの内部に向かうようにそれぞれ形成された嵌合孔と、を有し、
前記一方のコネクタ部と前記他方のコネクタ部が接続された場合、前記一方のコネクタ部及び前記他方のコネクタ部のそれぞれの前記ハウジングの前記下段面同士が近接し、それぞれの前記下段面から突出された前記コンタクトの前記接触部同士が接触され、且つ、前記一方のコネクタ部の前記嵌合突起が前記他方のコネクタ部の前記嵌合孔に嵌合され、且つ、前記他方のコネクタ部の前記嵌合突起が前記一方のコネクタ部の前記嵌合孔に嵌合されることにより、前記ロック機構が固定されることを特徴とする。 
【００１０】
また、本発明の第２の態様のコネクタは、第１の態様のコネクタにおいて、前記係止突起は、それぞれの前記嵌合突起から前記下段面に向かうように突出して形成され、
前記係止部は、前記下段面の接続方向に対して両側の幅方向側であって、前記嵌合孔を覆うように形成され、
前記一方のコネクタ部と前記他方のコネクタ部が接続された場合、前記嵌合突起が前記嵌合孔にそれぞれ嵌合されると共に、前記一方のコネクタ部の前記係止突起が前記他方のコネクタ部の前記係止部に係止され、前記他方のコネクタ部の前記係止突起が前記一方のコネクタ部の前記係止部に係止されることを特徴とする。 
【００１１】
また、本発明の第３の態様のコネクタは、第２の態様のコネクタにおいて、前記係止部は、前記下段面の接続方向に対して両側の幅方向側であって、接続方向に沿って前記嵌合孔と繋がるように形成された溝を有し、接続方向側の前記溝を囲うように接続方向側が閉じられた枠体が前記嵌合孔を覆うように形成され、前記枠体は、前記接続方向側とは反対側を軸として弾性変形されることを特徴とする。
【００１２】
また、本発明の第４の態様のコネクタは、第１〜第３のいずれかの態様のコネクタにおいて、前記一方のコネクタ部と前記他方のコネクタ部が接続された場合、前記一方のコネクタ部の前記ハウジングの前記壁面部と前記他方のコネクタ部の前記ハウジングの前記接続方向側の面が当接し、前記他方のコネクタ部の前記ハウジングの前記壁面部と前記一方のコネクタ部の前記接続方向側の面とが当接することを特徴とする。 
【００１３】
本発明のコネクタ部は、相手方ハウジング及び少なくとも１本の相手方コンタクトを有する相手方コネクタ部と接続され、前記相手方ハウジング及び前記相手方コンタクトと雌雄同型のハウジング及び少なくとも１本のコンタクトを有するコネクタ部であって、
前記コンタクトは、長手方向に対して直交する方向に突出した接触部が設けられ、
前記ハウジングの接続方向に対して直交する側の面は、上段面と、前記上段面に対して接続方向側であって、前記上段面より低い位置に設けられた下段面と、前記上段面と前記下段面の間の段差を繋ぐ壁面部とを有し、
前記下段面からは、前記コンタクトの前記接触部が突出されており、
前記ハウジングの接続方向に対して両側の幅方向側には、接続された前記相手方コネクタ部と固定されるロック機構を有し、
前記ロック機構は、
前記ハウジングの前記壁面部の接続方向に対して両側の幅方向側に、接続方向に向かって突出し、前記下段面との間に隙間を有するようにそれぞれ形成された嵌合突起と、
前記ハウジングの前記接続方向側の面であって、接続方向に対して両側の幅方向側には、接続方向とは反対方向であって、前記ハウジングの内部に向かうようにそれぞれ形成された嵌合孔と、を有し、
前記相手方コネクタ部と接続された場合、前記ハウジングの前記下段面が前記相手方ハウジングの対応する部分と近接し、前記下段面から突出された前記コンタクトの前記接触部が前記相手方コンタクトの対応する部分と接触され、且つ、前記嵌合突起が前記相手方コネクタ部の嵌合孔に嵌合され、且つ、前記相手方コネクタ部の嵌合突起が前記嵌合孔に嵌合されることにより、前記ロック機構が前記相手方コネクタと固定されることを特徴とする。 
【発明の効果】
【００１４】
第１の態様のコネクタによれば、一方のコネクタ部及び他方のコネクタ部が同じ構造のコンタクト及びハウジングで構成されているため、ハウジング及びコンタクトをそれぞれ一種類ずつ製造することで部品点数を削減でき、製造コストや製造の手間を減らすことができる。また、それぞれのハウジングにロック機構が設けられていることで、接続された一方及び他方のコネクタ部の固定を行なうことができる。
また、ロック機構は、一方のコネクタ部及び他方のコネクタ部のそれぞれのハウジングの壁面部の両側の係止突起と、他方のコネクタ部及び一方のコネクタ部のそれぞれのハウジングの下段面の接続方向側の両端側の接続部とが係止されて固定されるように構成されており、合計４箇所で固定されることで、確実に固定を維持することができる。
また、一方のコネクタ部と他方のコネクタ部を接続させた際に、それぞれのハウジングに形成された嵌合突起と嵌合孔が嵌め合わされることで、接続のための移動が案内されるようになり、確実に接続を行なうことができるようになる。
【００１７】
また、第２の態様のコネクタによれば、係止突起が嵌合突起にそれぞれ形成され、係止部が嵌合孔を覆うようにそれぞれ形成されることで、嵌合突起と嵌合孔の嵌合と、係止突起と係止部の係止を同一工程で行なうことができるようになり、接続を容易に行なうことができる。 
【００１８】
また、第３の態様のコネクタによれば、係止突起を係止部に係止させる際に係止部が弾性変形するので、さらに容易に係止させることができる。 
【００１９】
また、第４の態様のコネクタによれば、一方のコネクタ部のハウジングと他方のコネクタ部のハウジングをそれぞれ深い位置で接続させることができるので、小型化を図ることができる。 
【００２０】
本発明のコネクタ部によれば、相手方コネクタ部と同じ構造のコンタクト及びハウジングで構成されているため、ハウジング及びコンタクトをそれぞれ一種類ずつ製造することで部品点数を削減でき、製造コストや製造の手間を減らすことができる。また、相手方コネクタ部と固定されるロック機構がハウジングに設けられていることで、接続された相手方コネクタ部と固定を行なうことができる。
【図面の簡単な説明】
【００２１】
【図１】図１Ａは実施形態に係るコネクタの一方のコネクタ部と他方のコネクタ部を接続させる前の状態を示す斜視図であり、図１Ｂは一方のコネクタ部と他方のコネクタ部を接続した状態を示す斜視図である。
【図２】図２Ａは実施形態に係るコネクタの一方のコネクタ部と他方のコネクタ部を接続させる前の状態を示す平面図であり、図２Ｂは図２Ａの状態を一方から見た側面図であり、図２Ｃは一方のコネクタ部と他方のコネクタ部を接続した状態を示す平面図であり、図２Ｄは図２Ｃの状態を一方から見た側面図である。
【図３】図３Ａは実施形態に係る一方のコネクタ部を示す斜視図であり、図３Ｂは一方のコネクタ部の分解図である。
【図４】図４Ａは実施形態に係るコンタクトを示す一方から見た側面図であり、図４Ｂは平面図であり、図４Ｃは底面図であり、図４Ｄは背面図であり、図４Ｅは正面図である。
【図５】図５Ａは実施形態に係るハウジングを示す一方から見た側面図であり、図５Ｂは平面図であり、図５Ｃは底面図であり、図５Ｄは背面図であり、図５Ｅは正面図である。
【図６】図６Ａは図５ＡのVIA部の拡大図であり、図６Ｂは図５ＢのVIB部の拡大図であり、図６Ｃは図５ＥのVIC部の拡大図である。
【図７】図７Ａは図２ＡのVIIA−VIIA線での断面図であり、図７Ｂは図２ＣのVIIB−VIIB線での断面図である。
【図８】図８Ａは図２ＡのVIIIA−VIIIA線での断面図であり、図８Ｂは図２ＣのVIIIB−VIIIB線での断面図である。
【発明を実施するための形態】
【００２２】
以下、図面を参照して本発明の実施形態を説明する。但し、以下に示す実施形態は、本発明の技術思想を具体化するためのコネクタを例示するものであって、本発明をこれに特定することを意図するものではなく、特許請求の範囲に含まれるその他の実施形態のものにも等しく適応し得るものである。
【００２３】
［実施形態］
図１〜図８を参照して、実施形態に係るコネクタ１０について説明する。本発明の実施形態に係るコネクタ１０は、図１及び図２に示すように、一方のコネクタ部１１と他方のコネクタ部１１Ａで構成されており、これらのコネクタ部１１、１１Ａを接続させることで形成される。また、実施形態のコネクタ１０を構成する一方のコネクタ部１１と他方のコネクタ部１１Ａは、同じ形状で形成された、いわゆる雌雄同型のハウジング２９、２９Ａと、雌雄同型のコンタクト１２、１２Ａとでそれぞれ構成された、雌雄同型のコネクタとなっている。すなわち、一方のコネクタ部１１を左右及び上下を反転させると、他方のコネクタ部１１Ａとなる。また、接続された一方のコネクタ部１１及び他方のコネクタ部１１Ａは、各ハウジング２９、２９Ａに形成されたロック機構５２（図８参照）により固定されるようになっている。
【００２４】
以下、実施形態のコネクタ１０の各構成について説明する。なお、説明において使用される他方のコネクタ部１１Ａの記載については、一方のコネクタ部１１の説明に用いた各符号の後に「Ａ」を加えた符号を付している。
【００２５】
一方のコネクタ部１１は、図３に示すように、電線２８が接続された複数のコンタクト１２、例えば、４本のコンタクト１２と、これらのコンタクト１２が収容され、装着されるハウジング２９とで構成されている。また、ハウジング２９には、一方のコネクタ部１１と他方のコネクタ部１１Ａを接続させた際に、接続が固定されるロック機構５２を構成する部分が設けられている。このロック機構５２は、一方のコネクタ部１１のハウジング２９と他方のコネクタ部１１Ａのハウジング２９Ａのそれぞれに形成された各部分を組み合わせることで、固定されるようになっている（図８参照）。ロック機構の詳細については後述する。
【００２６】
また、他方のコネクタ部１１Ａは、一方のコネクタ部１１と同様の構成となっており、電線２８Ａが接続された４本のコンタクト１２Ａと、これらのコンタクト１２Ａが収容され、装着されるハウジング２９Ａとで構成されている。このハウジング２９Ａにも、一方のコネクタ部１１のハウジング２９と同様に、一方のコネクタ部１１のハウジング２９と同様に一方のコネクタ部１１と他方のコネクタ部１１Ａを接続させた際に、接続が固定されるロック機構５２を構成する部分が設けられている。
【００２７】
以下、各構成部品について説明するが、一方のコネクタ部１１及び他方のコネクタ部１１Ａを構成するコンタクト１２、１２Ａ及びハウジング２９、２９Ａはそれぞれ同じ形状となっているので、各構成部品については一方のコネクタ部１１側を代表して説明する。
【００２８】
まず、コンタクト１２について説明する。なお、複数のコンタクト１２は、それぞれ同じ形状で形成されているので、１本を代表して説明する。コンタクト１２は、図３Ｂ及び図４に示すように、所定の長さを有するコンタクト本体１３と、他方のコネクタ部１１Ａ側のコンタクト１２Ａ（図７参照）と接触される接触部２２と、接触部２２とは反対側であって電線２８が接続される接続部２５とで構成されており、金属製の板状体を打ち抜き、折り曲げ加工等することで形成されている。
【００２９】
コンタクト本体１３は、所定の長さを有し、底部１４と、底部１４の長手方向に沿った両端辺を屈曲して立設された一方の側部１６及び他方の側部１７と、一方の側部１６の底部１４とは反対側の端部が屈曲され、底部１４と対向するように設けられた上部１８と、を有する略四角形状の筒状体で形成されている。
【００３０】
コンタクト本体１３の底部１４は、底部１４の中間から接続部２５の間に開口された部分を有しており、この開口された部分がハウジング２９のコンタクト収容部５０に収容された際に位置決め固定される固定孔１５となっている。
【００３１】
コンタクト本体１３の一方の側部１６及び他方の側部１７は、所定の高さで立設されており、一方の側部１６及び他方の側部１７で挟まれた内側を後述する接触部２２の接触片２３が移動できるようになっている。
【００３２】
また、コンタクト本体１３の上部１８は、接続部２５側と接続部２５とは反対側の先端２７側に設けられており、その間の部分には開放された開口部２０が設けられている。
【００３３】
先端２７側の上部１８ａは、長手方向の略中心線上でさらに底部１４側とは反対側に屈曲されて延設された突起部１９が形成されている。また、接続部２５側の上部１８ｂには、開口部２０側に、後述する接触片２３の端部２４が引っ掛かる、引っ掛け部２１が形成されている。
【００３４】
接触部２２は、コンタクト本体１３の長手方向に対して直交する方向に突出して形成された接触片２３を有している。この接触片２３は、コンタクト本体１３の先端２７の底部１４側の端部から延設された金属片を屈曲させて先端２７側を軸として弾性変形できるように形成されている。また、接触片２３は、上部１８の開口部２０から突出されるような山型に形成され、さらに、接触片２３の端部２４は、コンタクト本体１３の接続部２５側の上部１８ｂに形成された引っ掛け部２１に底部１４側から引っ掛けられている。なお、接触片２３は山型に形成された接触面２３ａを有し、この接触面２３ａが他方のコネクタ部１１Ａのコンタクト１２Ａの接触面２３Ａａと接触されるようになる。そのため、接触片２３は上方から下方に押圧されることで弾性変形が可能となり、弾性変形された場合は、上方へ押圧する押圧力を有するようにされている。また、接触片２３の端部２４が引っ掛け部２１に引っ掛けられることで、接触片２３が上方への移動が規制されている。
【００３５】
接続部２５は、電線２８と接続される部分であり、電線２８と接続するための接続片２６が形成されている。電線２８との接続は、接続部２５に置かれた電線２８に対して、各接続片２６をそれぞれ電線側に屈曲させて電線２８を挟み込むようにして行なわれる。このとき、接続片２６は、電線２８の導電部と接続されることで電気的な接続が行なわれる。
【００３６】
次に、ハウジング２９について説明する。ハウジング２９は、図３、図５及び図６に示すように、上段面３１、及びこの上段面３１より低い位置になるように切り欠かれた下段面３２と、上段面３１と下段面３２の段差部分の壁面部３３と、で構成された上面３０と、上面３０と対向する底面３９と、他方のコネクタ部１１Ａと接続する方向側の前面４０と、前面４０の反対側であって複数のコンタクト１２が挿入される複数の挿入口４５が形成された後面４４と、一方の側面４８及び他方の側面４９を有する略直方体状で形成されている。また、ハウジング２９の内部には、複数のコンタクト１２が収容されて装着される複数のコンタクト収容部５０がハウジング２９の接続方向に沿って形成されている。また、複数のコンタクト収容部５０はハウジング２９の幅方向に並んで設けられている。
【００３７】
ハウジング２９の上面３０は、他方のコネクタ部１１Ａのハウジング２９Ａと接する側の面であり、後面４４側の上段面３１と、他方のコネクタ部１１Ａと接続される方向側の前面４０側であって、この上段面３１より一段下がった低い位置に形成された下段面３２と、上段面３１と下段面３２の段差部分の垂直な壁面部３３とで構成されており、２段の面となるように形成されている。
【００３８】
上面３０の上段面３１は、平坦に形成されており、後面４４側の幅の狭い部分と、前面４０側の幅の広い部分とを有している。
【００３９】
また、下段面３２は、他方のコネクタ部１１Ａと接続される際に、他方のコネクタ部１１Ａのハウジング２９Ａの下段面３２Ａと近接する面となる（図１、図２及び図７参照）。下段面３２は、接続方向に対して両側の幅方向側、すなわち一方の側面４８側及び他方の側面４９側に至るまで上段面３１から一段下がった低い位置となるように、略平面で形成されている。また、下段面３２は、ハウジング２９の内部のコンタクト収容部５０が露出されており、この露出されたコンタクト収容部５０と連通される複数の開口３６を有し、これらの開口３６からは、収容されたコンタクト１２の接触部２２が突出されるようになる。
【００４０】
また、上段面３１と下段面３２との段差部分の壁面部３３は、垂直に形成され、後述する他方のコネクタ部１１Ａ側のハウジング２９Ａの前面４０Ａの当接部４３Ａが当接される部分となっている（図７参照）。この壁面部３３の両側の幅方向側、すなわち、一方の側面４８側及び他方の側面４９側には、ハウジング２９の接続方向側である前面４０側に向かうように突出した直方体状の嵌合突起３４が下段面３２との間に隙間Ｇを有するようにそれぞれ形成されている。なお、嵌合突起３４の壁面部３３とは反対側の接続方向側の各辺は、面取りがされている。また、嵌合突起３４の下段面３２側には、下段面３２に向かうように突出された係止突起３５がそれぞれ形成されている。この係止突起３５は、嵌合突起３４の接続方向側に形成されており、係止突起３５の接続方向側は、面取りがされており、壁面部３３側は、面取りがされておらず直角となっている。
【００４１】
また、下段面３２の接続方向側であって、接続方向に対して両側の幅方向側、すなわち一方の側面４８側及び他方の側面４９側には、接続方向に沿った溝３７が形成されている。なお、この溝３７は、後述する嵌合孔４１と繋がっている。そして、溝３７の前面４０側には、この前面４０側の溝３７が閉じられた部分３８ｂを有し、この溝３７を囲うように、「コ」の字状の枠体３８ａで形成された係止部３８がそれぞれ形成されている。また、この係止部３８は、後述する嵌合孔４１を覆うように形成されている。さらに、この係止部３８は、枠体３８ａの閉じられた部分３８ｂとは反対側を軸に弾性変形可能とされている。なお、この係止部３８は、係止部３８を構成する枠体３８ａの閉じられた部分３８ｂに嵌合突起３４に形成された係止突起３５が係止される部分となる。
【００４２】
ハウジング２９の底面３９は、コンタクト収容部５０が形成されている部分と、形成されていない部分とで段差を有し、コンタクト収容部５０が形成されていない部分が一段低くなるようにされている。
【００４３】
ハウジング２９の前面４０は、ハウジング２９の内部のコンタクト収容部５０と連通する複数の孔４２が形成されており、この孔４２の上面３０側が他方のコネクタ部１１Ａのハウジング２９Ａの壁面部３３Ａと当接される当接部４３となっている。また、前面４０の一方の側面４８側及び他方の側面４９側であって、下段面３２に形成された係止部３８の底面３９側には、嵌合孔４１がハウジング２９の内部に向かってそれぞれ形成されている。なお、この嵌合孔４１は、上面３０の壁面部３３に形成された嵌合突起３４と嵌合される部分となる。また、嵌合孔４１は下段面３２に形成された溝３７と繋がっており、さらに、下段面３２に形成された係止部３８は、この嵌合孔４１を覆うように設けられている。
【００４４】
ハウジング２９の後面４４は、複数のコンタクト１２が挿入される複数の挿入口４５が形成されている。また、この挿入口４５には、上面３０側の一部が狭くなるように形成された狭小部４６が設けられている。この狭小部４６は、コンタクト１２を挿入させる際に、コンタクト１２の先端２７側に形成された突起部１９を通過させるようにすることで、コンタクト１２の向きを正しくすることができる。なお、後面４４のコンタクト収容部５０が形成されていない部分には、貫通孔４７がそれぞれ形成されている。
【００４５】
一方の側面４８及び他方の側面４９は、上面３０に上段面３１、下段面３２及び壁面部３３が形成されることに応じて、壁面部３３を境に後面４４側に比べて前面４０側が一段低くなるように形成されている。
【００４６】
また、ハウジング２９の内部に形成されたコンタクト収容部５０は、図７に示すように、ハウジング２９の接続方向に沿ってそれぞれ形成され、コンタクト１２の全体が収容されるようになっている。また、コンタクト収容部５０の底面３９側には、コンタクト１２を位置決め固定するための固定片５１がそれぞれ形成されている。このコンタクト収容部５０に形成された固定片５１がコンタクト１２に形成された固定孔１５に嵌まり込むことで、コンタクト１２が固定されると共に、抜け止めされるようになる。
【００４７】
次に、主に図３及び図７を参照して、一方のコネクタ部１１の組立てについて説明する。一方のコネクタ部１１の組立ては、まず、コンタクト１２に電線を接続させ、コンタクト１２の先端２７側からハウジング２９の後面４４に形成された挿入口４５にコンタクト１２を挿入させる。コンタクト１２の挿入は、コンタクト１２の接続部２５とは反対側の先端２７側に形成された突起部１９が挿入口４５に形成された狭小部４６を通過するように向きを合わせて行なわれる。そして、挿入口４５から挿入したコンタクト１２をハウジング２９内のコンタクト収容部５０まで押し込み、コンタクト収容部５０に装着させる。
【００４８】
このとき、コンタクト収容部５０に押し込まれたコンタクト１２は、コンタクト１２の底部１４に形成された固定孔１５にコンタクト収容部５０の底面３９側に形成された固定片５１が嵌り込むことで位置決め固定され、装着される。このとき、固定片５１は、コンタクト１２の底部１４の先端２７側に押されることで弾性変形してコンタクト１２の底部１４を摺動し、その後、固定片５１が固定孔１５に嵌り込むことで、弾性力が開放され、固定孔１５と固定片５１が係合され、コンタクト１２の抜け止めがされる。同様に、他のコンタクト１２をハウジング２９への装着を行なうことで、一方のコネクタ部１１が組立てられる。
【００４９】
なお、他方のコネクタ部１１Ａの組立ては、一方のコネクタ部１１の組立てと共通するので、詳細な説明は省略する。
【００５０】
次に、一方のコネクタ部１１と他方のコネクタ部１１Ａの接続について説明する。一方のコネクタ部１１と他方のコネクタ部１１Ａの接続は、まず、図１Ａ、図２Ａ、図２Ｂ及び図７Ａに示すように、他方のコネクタ部１１Ａを一方のコネクタ部１１に対して、上下及び左右を反転した状態、すなわち、一方のコネクタ部１１のハウジング２９及び他方のコネクタ部１１Ａのハウジング２９Ａの接続方向側となる各前面４０、４０Ａを向かい合わせ、且つ、一方のコネクタ部１１に対して、他方のコネクタ部１１Ａの上面３０Ａと底面３９Ａの位置が一方のコネクタ部１１と反対となるように配置される。
【００５１】
次に、向かい合わせた状態の一方のコネクタ部１１及び他方のコネクタ部１１Ａの各上面３０、３０Ａの各下段面３２、３２Ａを近接させ、一方のコネクタ部１１の前面４０の当接部４３と他方のコネクタ部１１Ａの上面３０Ａの壁面部３３Ａ、及び他方のコネクタ部１１Ａの前面４０Ａの当接部４３Ａと一方のコネクタ部１１の上面３０の壁面部３３とがそれぞれ当接するまで移動される（図１Ｂ、図２Ｃ、図２Ｄ及び図７Ｂ参照）。
【００５２】
このとき、一方のコネクタ部１１と他方のコネクタ部１１Ａの各下段面３２、３２Ａが近接することで、一方のコネクタ部１１の下段面３２から突出したコンタクト１２の接触部２２の接触面２３ａと、他方のコネクタ部１１Ａの下段面３２Ａから突出したコンタクト１２Ａの接触部２２Ａの接触面２３Ａａとが互に接触される。その際、一方のコネクタ部１１のコンタクト１２の接触部２２の接触片２３と、他方のコネクタ部１１Ａのコンタクト１２Ａの接触部２２Ａの接触片２３Ａとがそれぞれ弾性変形される（図７Ｂ参照）。
【００５３】
また、一方のコネクタ部１１と他方のコネクタ部１１Ａが接続方向に移動される際に、一方のコネクタ部１１に形成された嵌合突起３４が他方のコネクタ部１１Ａに形成された嵌合孔４１Ａに嵌合され、他方のコネクタ部１１Ａに形成された嵌合突起３４Ａが一方のコネクタ部１１に形成された嵌合孔４１に嵌合されるようになる。そして、この嵌合突起３４、３４Ａが嵌合孔４１、４１Ａにそれぞれ嵌合されることで、一方のコネクタ部１１及び他方のコネクタ部１１Ａの接続の際の移動が案内され、円滑に接続を行なうことができるようになる（図８参照）。
【００５４】
その後、一方のコネクタ部１１と他方のコネクタ部１１Ａを接続方向に移動させ、一方のコネクタ部１１のハウジング２９の前面４０の当接部４３と他方のコネクタ部１１Ａのハウジング２９Ａの壁面部３３Ａが当接され、また、他方のコネクタ部１１Ａのハウジング２９Ａの前面４０Ａの当接部４３Ａと一方のコネクタ部１１のハウジング２９の壁面部３３が当接されと、一方のコネクタ部１１と他方のコネクタ部１１Ａとが接続され、ロック機構５２により接続が固定される。
【００５５】
このロック機構５２による接続の固定は、図８に示すように、一方のコネクタ部１１のハウジング２９の各嵌合突起３４に形成された係止突起３５と、他方のコネクタ部１１Ａのハウジング２９Ａの下段面３２Ａの各嵌合孔４１Ａを覆うように形成された係止部３８Ａが係止され、また、他方のコネクタ部１１Ａのハウジング２９Ａの各嵌合突起３４Ａの形成された各係止突起３５Ａと、一方のコネクタ部１１のハウジング２９の下段面３２の各嵌合孔４１を覆うように形成された各係止部３８がそれぞれ係止されることにより行なわれる。以上により、一方のコネクタ部１１と他方のコネクタ部１１Ａの接続が完了する。
【００５６】
このように、実施形態のロック機構５２は、一方のコネクタ部１１側のハウジング２９に形成された２つの嵌合突起３４と、他方のコネクタ部１１Ａ側のハウジング２９Ａに形成された２つの係止部３８Ａ、及び他方のコネクタ部１１Ａ側のハウジング２９Ａに形成された２つの係止突起３５Ａと、一方のコネクタ部１１側のハウジング２９に形成された２つの係止部３８とがそれぞれ係止されることで、一方のコネクタ部と他方のコネクタ部の接続が４箇所で固定されるようになり、確実に固定を維持することができる。
【００５７】
また、各係止突起３５、３５Ａは各嵌合突起３４、３４Ａに、各係止部３８、３８Ａは嵌合孔４１、４１Ａを覆うようにそれぞれ形成されているので、各嵌合突起３４、３４Ａと各嵌合孔４１、４１Ａの嵌合と、各係止突起３５、３５Ａと各係止部３８、３８Ａの係止を同一工程で行なうことができる。
【００５８】
また、一方のコネクタ部１１及び他方のコネクタ部１１Ａは、各嵌合突起３４、３４Ａが嵌合孔４１、４１Ａに嵌合されることで、各ハウジング２９、２９Ａの下段面３２、３２Ａが近接し、各コネクタが離れる方向に移動することが規制されるため、各コンタクト１２の接触片２３は、互いの弾性力によりそれぞれ押圧し合い、確実に接触が行なわれる。
【００５９】
また、一方のコネクタ部１１と他方のコネクタ部１１Ａは、それぞれのハウジング２９、２９Ａ、及びそれぞれに装着されるコンタクト１２、１２Ａが同じ形状で形成された雌雄同型のコネクタで構成されているので、製造される部品点数を削減することができる。また、ロック機構についても、雌雄同型のハウジングで形成することができる。
【００６０】
なお、実施形態では、一方のコネクタ部及び他方のコネクタ部には、それぞれ４本のコンタクトが装着される場合を説明したがこれに限らず、各１本ずつを用いた場合でもよく、また、コンタクトが幅方向に並列されていれば、４本以外に複数の本数を用いることができる。
【００６１】
なお、一方のコネクタ部がコネクタ部と対応し、他方のコネクタ部が相手方コネクタ部と対応する。
【符号の説明】
【００６２】
１０：コネクタ  １１：一方のコネクタ部  １１Ａ：他方のコネクタ部  １２、１２Ａ：コンタクト  １３：コンタクト本体  １４：底部  １５：固定孔  １６：一方の側部  １７：他方の側部  １８：上部  １８ａ：接続部側の上部  １８ｂ：先端側の上部  １９：突起部  ２０：開口部  ２１：引っ掛け部  ２２、２２Ａ：接触部  ２３、２３Ａ：接触片  ２３ａ、２３Ａａ：接触面  ２４：端部  ２５：接続部  ２６：接続片  ２７：先端  ２８：電線  ２９、２９Ａ：ハウジング  ３０、３０Ａ：上面  ３１：上段面  ３２、３２Ａ：下段面  ３３、３３Ａ：壁面部  ３４、３４Ａ：嵌合突起  ３５：係止突起  ３６：開口  ３７：溝  ３８、３８Ａ：係止部  ３８ａ、３８Ａａ：枠体  ３８ｂ、３８Ａｂ：閉じられた部分  ３９、３９Ａ：底面  ４０、４０Ａ：前面  ４１、４１Ａ：嵌合孔  ４２：孔  ４３、４３Ａ：当接部  ４４：後面  ４５：挿入口  ４６：狭小部  ４７：貫通孔  ４８：一方の側面  ４９：他方の側面  ５０：コンタクト収容部  ５１：固定片  ５２：ロック機構  Ｇ：隙間
【図１】
0006425613.tif 000002
【図２】
0006425613.tif 000003
【図３】
0006425613.tif 000004
【図４】
0006425613.tif 000005
【図５】
0006425613.tif 000006
【図６】
0006425613.tif 000007
【図７】
0006425613.tif 000008
【図８】
0006425613.tif 000009